(57)【特許請求の範囲】
【請求項１】
（イ）両端にフランジ部（１，１’）を設け、混合材（Ｍ）を充填した略Ｌ字状の主管（Ａ）の長辺（ａ）部を水平に配設している、
（ロ）後端部にフランジ部（２）を設けた略Ｌ字状の取水管（Ｂ）を立設し、該取水管（Ｂ）のフランジ部（２）を前記主管（Ａ）の前端のフランジ部（１）に結合している、
（ハ）前記取水管（Ｂ）の上部に雨水取水パイプ（５）を接続し、中間部に水位を調節するためのオ−バフロ−パイプ（６）を接続している、
（ニ）上端部に空気吹き出し口（７）を設け、下端部にフランジ部（８）を設けた空気吹き出し管（Ｃ）を立設し、該空気吹き出し管（Ｃ）のフランジ部（８）を前記主管（Ａ）の後端のフランジ部（１’）に結合している、
（ホ）エア−ポンプ（９）に接続した空気送入パイプ（１０）を前記取水管（Ｂ）及び前記主管（Ａ）の混合材（Ｍ）中を通り、該空気送入パイプ（１０）の先端部が前記主管（Ａ）の短辺（ｂ）の中間部に達するように挿通している、
以上のことを特徴とする天然水を利用した湿度調整装置
【発明の詳細な説明】
【技術分野】
【０００１】
本発明は天然水を利用した湿度調整装置に関するものである。
【背景技術】
【０００２】
従来、野菜、果実、米等を貯蔵する低温倉庫は、低温で高湿度を保持することが要求されており、そのために、製氷機等を内臓した温湿調整装置（例えば、特許文献１参照。）などが使用されている。
しかし、湿度を９０〜９５％に保持するためには、電気、水道代などの諸経費がかかる上に、設備費も嵩むという問題点があった。
【０００３】
【特許文献１】特開平２００２−２９５９４５号公報
【発明の開示】
【発明が解決しようとする課題】
【０００４】
この発明は、背景技術で記述した問題点を解消するためになされたもので、安価な設備費で、高湿度を保持できる天然水を利用した湿度調整装置の提供を目的とするものである。
【課題を解決するための手段】
【０００５】
この発明の天然水を利用した湿度調整装置は、両端にフランジ部を設け、混合材を充填した略Ｌ字状の主管の長辺部を水平に配設し、後端部にフランジ部を設けた略Ｌ字状の取水管を立設し、該取水管のフランジ部を前記主管の前端のフランジ部に結合し、前記取水管の上部に雨水取水パイプを接続し、中間部に水位を調節するためのオ−バフロ−パイプを接続し、上端部に空気吹き出し口を設け、下端部にフランジ部を設けた空気吹き出し管を立設し、該空気吹き出し管のフランジ部を前記主管の後端のフランジ部に結合し、エア−ポンプに接続した空気送入パイプを前記取水管及び前記主管の混合材中を通り、該空気送入パイプの先端部が前記主管の短辺の中間部に達するように挿通しいることを特徴とするものである。
【発明の効果】
【０００６】
この発明は、上述のように構成されているので次のような効果を呈する。
（１）殆どの部材が単純な構造の管材であため部材費が安く、かつ組立工事費も安い。
（２）稼動費はエア−ポンプの電気代だけであるので、運転費を節減できる。
（３）エア−ポンプから送り込まれた空気は混合材から水中に溶け出た成分を含んだ湿った空気を室内に放出し、室内の湿度を９０〜９５％に保持できる。
（４）混合材は、後述するように、水の浄化作用を有する石灰石、抗菌作用やマイナスイオンを発生させる竹炭、脱臭作用やマイナスイオンを発生させる珪藻土、カルシウムを含有する珊瑚、貝殻からなっているので、室内に放出される湿った空気はマイナスイオンを含み、かつ脱臭作用や抗菌作用も有している。
【発明を実施するための最良の形態】
【０００７】
安価な設備費で、高湿度を保持できる天然水を利用した湿度調整装置の提供という目的を、混合材を充填し、屋根から取り入れた雨水を満たした主管中に空気を送り込み、水に溶け出た混合材の成分を含んだ湿った空気を室内に吹き込むことにより実現できた。
【実施例】
【０００８】
この発明の実施の形態の一例を図面を参照しながら説明する。図１に示すように、両端にフランジ部１，１’を設け、混合材Ｍを充填した略Ｌ字状の主管Ａの長辺ａ部を、例えば、出願人が開発した低温倉庫（特許第３５５０１４６号）の床面ｆなどに水平に配設している。
【０００９】
混合材Ｍは、例えば、大きさ３〜５ｃｍの石灰石３０％（容積％、以下同じ。）、大きさ３〜６ｃｍの竹炭３０％、珊瑚・貝殻３０％及び珪藻度１０％を混合して構成されている。したがって、竹炭、珪藻土による抗菌・脱臭、マイナスイオンの放出等の作用効果を奏する。なお、混合材Ｍの前記混合割合は、限定的なものではなく、適宜に変更することができる。なお、石灰石は水を清浄にする作用があるので、湿気を含んだきれいな空気を室内に放出することができる。
【００１０】
後端部にフランジ部２を設けた略Ｌ字状の取水管Ｂを、図１に示すように、例えば、倉庫の壁３際に立設し、取水管Ｂのフランジ部２を主管Ａの前端のフランジ部１に結合している。
【００１１】
取水管Ｂの上部に、例えば、倉庫の屋根の雨樋４に連通する雨水取水パイプ５を接続し、中間部に水位を調節するためのオ−バフロ−パイプ６を接続している。したがって、雨水は雨水取水パイプ５を通り取水管Ｂ中へ流入し、一定の水位になると、自動的にオ−バフロ−パイプ６から流出するので、倉庫内が水浸しなるということはない。
【００１２】
上端部に空気吹き出し口７を設け、下端部にフランジ部８を設けた空気吹き出し管Ｃを、図１に示すように、例えば、倉庫の壁３と対向する壁３’際に立設し、空気吹き出し管Ｃのフランジ部８を主管Ａの後端のフランジ部１’に結合している。
【００１３】
例えば、倉庫の床面ｆに配置したエア−ポンプ９に接続した空気送入パイプ１０を取水管Ｂ及び主管Ａの混合材Ｍ中を通り、空気送入パイプ１０の先端部が主管Ａの短辺ｂの中間部に達するように挿通している。
【００１４】
なお、図１において、１１は主管Ａの前端のフランジ部１近くに配設した金網で、混合材Ｍが主管Ａから逆戻りするのを防止できるようになっている。また、図１において、１２は、バルブであり、取水管Ｂとオ−バフロ−パイプ６を接続するパイプ１３に設置されており、主管Ａ中の水を取り替えるときに、バルブ１２を開いて行えるようになっている。
【００１５】
なお、本例では、本願の装置を倉庫内に設置した場合について説明したが、これに限定されるものではなく、倉庫の外に設置してもよく、この場合には、空気吹き出し管Ｃの空気吹き出し口７を倉庫内に導くように設置する。
【００１６】
実施に際しては、エア−ポンプ９を作動して、空気を主管Ａに送り込むと、送り込まれた空気は、多量の湿気を含むとともに、水に溶け出た混合材Ｍの成分を抱き込み、抗菌・脱臭性を有する湿った空気を、マイナスイオンとともに空気吹き出し管Ｃの空気吹き出し口７から室内に吹き出す。
【００１７】
湿度の調整は、エア−ポンプ９の出力を加減することにより行うことができる。なお、混合材Ｍを取り替えるときには、主管Ａのフランジ部１，１’と取水管Ｂのフランジ部２、空気吹き出し管Ｃのフランジ部８の結合を解除して行う。混合材Ｍの取り替えは、通常、２〜３年毎に実施するのが好ましい。
【産業上の利用可能性】
【００１８】
高い湿度が要求される野菜、果実、米などを貯蔵する低温倉庫や発芽前のイチゴの苗やランなどを保管するの保管庫の湿度調整装置として利用が可能である。
【図面の簡単な説明】
【００１９】
【図１】発明の一実施例を示す説明図
【符号の説明】
【００２０】
１、１’ フランジ部
２ フランジ部
３、３’壁
４ 雨樋
５ 雨水取水パイプ
６ オ−バフロ−パイプ
７ 空気吹き出し口
８ フランジ部
９ エア−ポンプ
１０ 空気送入パイプ
１１ 金網
１２ バルブ
１３ パイプ
Ａ 主管
Ｂ 取水管
Ｃ 空気吹き出し管
Ｍ 混合材
ａ 主管の長辺
ｂ 主管の短辺
ｆ 床面
【要約】
【課題】安価な設備費で、高湿度を保持できる天然水を利用した湿度調整装置の提供
【解決手段】この発明の天然水を利用した湿度調整装置は、混合材Ｍを充填した略Ｌ字状の主管Ａの長辺ａ部を水平に配設し、略Ｌ字状の取水管Ｂを立設し、主管Ａの前端に結合し、取水管Ｂの上部に雨水取水パイプ５を接続し、中間部に水位を調節するためのオ−バフロ−パイプ６を接続し、上端部に空気吹き出し口７を設けた空気吹き出し管Ｃを立設し、主管Ａの後端に結合し、エア−ポンプ９に接続した空気送入パイプ１０を取水管Ｂ及び主管Ａの混合材Ｍ中を通り、空気送入パイプ１０の先端部が主管Ａの短辺ｂの中間部に達するように挿通しいる。
【選択図】図１
【図１】
0003623227.tif 000002